(57)【特許請求の範囲】
【請求項１】
任意のカードを所定の面に保持するコネクタ本体と、コネクタ本体のカード保持面を開閉するカバー体と、コネクタ本体に保持されたカードの接点に電気的に接触する端子とを備え、カバー体の一端側をコネクタ本体に回動自在に連結したカード用コネクタにおいて、
前記コネクタ本体の一端側に他端側に向かって延びる長孔を設けるとともに、カバー体の一端側には長孔内に向かって突出する回動支点部を設け、
長孔の一端側及び他端側の間には、長孔の底面から突出するように山形に形成され、回動支点部の移動を規制する移動規制部を設けるとともに、カバー体に長孔に沿って所定の大きさ以上の力を加えると、回動支点部が移動規制部を乗り越えて長孔の一端側及び他端側の間を移動し得るようカバー体の一部を弾性変形可能に形成し、
回動支点部をその頂部から周縁部に向かって徐々に低くなるように形成するとともに、移動規制部を長孔の幅方向中央部に所定間隔の隙間を有するように長孔の幅方向両端側に形成してその隙間に回動支点部の頂部を位置させ、
カバー体及びコネクタ本体には、閉鎖状態のカバー体を回動支点部が長孔の他端側に移動するようにコネクタ本体の他端側に向かって移動させると、互いにカバー体の開放方向への回動を規制するように係止するロック手段を設けた
ことを特徴とするカード用コネクタ。
【請求項２】
前記長孔の移動規制部を長孔の一端側及び他端側に向かってその中央部から徐々に低くなるように形成した
ことを特徴とする請求項１記載のカード用コネクタ。
【請求項３】
前記カバー体の一部を回動支点部が長孔から外れるまで弾性変形可能に形成した
ことを特徴とする請求項１または２記載のカード用コネクタ。
【発明の詳細な説明】
【０００１】
【発明の属する技術分野】
本発明は、例えば携帯電話機等に用いられるＳＩＭカードを接続するためのカード用コネクタに関するものである。
【０００２】
【従来の技術】
従来、この種のカード用コネクタとしては、例えば特開平１０−１０６６７４号公報に記載されているように、任意のカードを所定の面に保持するコネクタ本体と、コネクタ本体のカード保持面を開閉するカバー体と、コネクタ本体に保持されたカードの接点に電気的に接触する複数の端子とを備え、カバー体の一端側をコネクタ本体に回動自在に連結したものが知られている。
【０００３】
このコネクタでは、カバー体の一端側に設けた長孔にコネクタ本体の一端側に突設した軸体が挿入され、軸体を長孔の一端側に位置させた状態でカバー体を軸体を中心に回動させることにより、カバー体が開閉するように構成されている。また、カバー体を閉じた状態では軸体が長孔に沿って移動可能となり、この状態でカバー体をコネクタ本体の他端側に向かってスライドさせると、カバー体の先端側に設けた係合部がコネクタ本体側の係合片に係合し、これによりカバー体の開放方向への回動が規制され、カバー体がロックされるようになっている。その際、カバー体のスライドに伴い、カバー体の一側面に設けたバネ片の先端部がコネクタ本体側の段差状の掛止部に掛止することにより、カバー体の前記ロック状態が保持される。また、カバー体をバネ片の弾性力に抗して反対側にスライドさせると、カバー体のロックが解除されるようになっている。
【０００４】
【発明が解決しようとする課題】
しかしながら、前記バネ片はカバー体の側面に沿って細長く延びるように形成されるとともに、カバー体の側面に露出しているため、カバー体の開閉操作またはカードの着脱等を行う際、誤って指先等が接触してバネ片の変形や破損を生ずるなど、耐久性に劣るという問題点があった。また、このような細長いバネ片をカバー体に形成する場合には、加工が複雑で生産性の低下を来すとともに、バネ片がカバー体に露出している点で外観を損なうという欠点もあった。
【０００５】
本発明は前記問題点に鑑みてなされたものであり、その目的とするところは、耐久性に優れるとともに、生産性及び外観上においても有利な構造により、カバー体のロック状態を確実に保持することのできるカード用コネクタを提供することにある。
【０００６】
【課題を解決するための手段】
本発明は前記目的を達成するために、請求項１では、任意のカードを所定の面に保持するコネクタ本体と、コネクタ本体のカード保持面を開閉するカバー体と、コネクタ本体に保持されたカードの接点に電気的に接触する端子とを備え、カバー体の一端側をコネクタ本体に回動自在に連結したカード用コネクタにおいて、前記コネクタ本体の一端側に他端側に向かって延びる長孔を設けるとともに、カバー体の一端側には長孔内に向かって突出する回動支点部を設け、長孔の一端側及び他端側の間には、長孔の底面から突出するように山形に形成され、回動支点部の移動を規制する移動規制部を設けるとともに、カバー体に長孔に沿って所定の大きさ以上の力を加えると、回動支点部が移動規制部を乗り越えて長孔の一端側及び他端側の間を移動し得るようカバー体の一部を弾性変形可能に形成し、回動支点部をその頂部から周縁部に向かって徐々に低くなるように形成するとともに、移動規制部を長孔の幅方向中央部に所定間隔の隙間を有するように長孔の幅方向両端側に形成してその隙間に回動支点部の頂部を位置させ、カバー体及びコネクタ本体には、閉鎖状態のカバー体を回動支点部が長孔の他端側に移動するようにコネクタ本体の他端側に向かって移動させると、互いにカバー体の開放方向への回動を規制するように係止するロック手段を設けている。
【０００７】
これにより、カバー体にコネクタ本体の他端側に向かって所定の大きさ以上の力を加えると、カバー体の回動支点部がカバー体の一部を弾性変形させながら長孔の移動規制部を乗り越えて長孔の一端側から他端側に移動することから、カバー体がロック手段によってロックされると同時に、回動支点部の長孔の一端側への移動が移動規制部によって規制され、カバー体のロック状態が保持される。
【０００８】
その際、回動支点部が移動規制部を乗り越えることによる確実な操作感を指先等で感じ取ることが可能である。
【０００９】
また、回動支点部の頂部を各移動規制部に接触させずに回動支点部の円錐面を移動規制部と二点で接触させることが可能となる。
【００１０】
また、請求項２では、請求項１記載のカード用コネクタにおいて、前記長孔の移動規制部を長孔の一端側及び他端側に向かってその中央部から徐々に低くなるように形成している。
【００１１】
これにより、請求項１の作用に加え、回動支点部を移動規制部に円滑に乗り上げさせることが可能となる。
【００１２】
また、請求項３では、請求項１または２記載のカード用コネクタにおいて、前記カバー体の一部を回動支点部が長孔から外れるまで弾性変形可能に形成している。
【００１３】
これにより、請求項１または２の作用に加え、カバー体を開放した際、カバーの開放限度を超える力が加わった場合には、カバー体の一部の弾性変形により、カバー体の回動支点部が長孔から外れる。
【００１４】
【発明の実施の形態】
図１乃至図５は本発明の一実施形態を示すもので、図１はカード用コネクタの斜視図、図２はその側面図、図３はその要部平面断面図、図４は図３の矢視方向断面図、図５はカード用コネクタの要部平面図である。
【００１５】
このコネクタは、カード１を上面側に保持するコネクタ本体１０と、コネクタ本体１０のカード保持面を開閉するカバー体２０と、コネクタ本体１０に保持されたカード１と電気的に接触する計６つの端子３０とから構成されている。
【００１６】
カード１は、一般にＳＩＭカードと称されるＩＣカードの一種からなり、例えば電話加入者識別用のモジュールとして携帯電話機に用いられるものである。カード１の表面には計６つの接点１ａが設けられ、各接点１ａを介してコネクタと電気的に接触するようになっている。
【００１７】
コネクタ本体１０は、板状に形成された合成樹脂の一体成型品からなり、その幅方向一端側には切り欠き部１０ａが形成されている。コネクタ本体１０の上面には各端子３０が配置される計６つの端子孔１１が設けられ、各端子孔１１はカード１の各接点１ａにそれぞれ対応するように計２列に配列されている。また、コネクタ本体１０の幅方向両側面の一端側には、カバー体２０を回動自在に連結する長孔１２が設けられ、その他端側にはカバー体２０の先端側を係止する係止部１３が突設されている。
【００１８】
カバー体２０は金属製の板状部材からなり、その幅方向両端側にはそれぞれコネクタ本体１０側に折曲げられた側面部２１が形成されている。各側面部２１の一端側はカバー体２０の本体側よりもやや長く延び、その先端側にはコネクタ本体１０の長孔１２に挿入される回動支点部２２がそれぞれ突設されている。各側面部２１の他端側にはコネクタ本体１０の係止部１３に係止する突部２３がそれぞれ設けられ、各突部２３はコネクタ本体１０の係止部１３に下方から係止するように各側面部２１の先端に突設されている。また、一方の側面部２１にはカード１を保持可能な保持片２４が設けられ、カバー体２０の他端には開閉時に指先等を掛けるための突片２５が設けられている。更に、カバー体２０には、コネクタ本体１０の各列の端子孔１１にそれぞれ対応する計２つの開口部２６が設けられている。
【００１９】
各端子３０は導電性の金属板からなり、コネクタ本体１０の下面側に取付けられている。コネクタ本体１０の一端側に配列された一部の端子３０は、その一端側をコネクタ本体１０の切り欠き部１０ａから外部に突出させており、コネクタ本体１０の他端側に配列された他の端子３０は、その一端側をコネクタ本体１０の他端側から外部に突出させている。また、各端子３０の他端側には上方に突出するように湾曲する接触部３０ａが形成され、各接触部３０ａはそれぞれコネクタ本体１０の各端子孔１１から上方へ突出している。この場合、各端子３０は接触部３０ａが上下方向に変位するように弾性変形可能に形成されている。
【００２０】
コネクタ本体１０の長孔１２は、コネクタ本体１０の側面に凹設されており、長孔１２内にはカバー体２０の回動支点部２２が挿入されている。長孔１２内の一端側と他端側との間には回動支点部２２の移動を規制する移動規制部１４が設けられ、移動規制部１４は長孔１２内の底面から突出するように長孔１２の幅方向両端側にそれぞれコネクタ本体１０と一体に形成されている。この場合、各移動規制部１４は、互いに長孔１２の幅方向に間隔をおいて形成され、その間には所定間隔の隙間１４ａが設けられている。また、移動規制部１４はその中央部１４ｂから徐々に低くなるように山形に形成されている。即ち、各移動規制部１４は中央部１４ｂから長孔１２の一端側及び他端側に向かってそれぞれ下り傾斜をなす傾斜部１４ｃを有している。また、各移動規制部１４の対向面の上端縁は、それぞれ移動規制部１４の上面側に向かって斜めに形成されている。
【００２１】
カバー体２０の回動支点部２２は、その頂部２２ａから周縁部に向かって徐々に低くなるように略円錐形に形成され、図３(a) に示すように長孔１２内の一端側に位置しているときは、移動規制部１４によって長孔１２内の他端側への移動を規制されている。ここで、カバー体２０に長孔１２内の他端側に向かって所定の大きさ以上の力を加えると、図３(b) に示すように回動支点部２２がカバー体２０の側面部２１をカバー体２０の外側に向かって弾性変形させながら移動規制部１４ａの一端側の傾斜部１４ｃに乗り上がり、図３(c) に示すように移動規制部１４ａの中央部１４ｂを乗り越えて、図３(d) に示すように移動規制部１４の他端側の傾斜部１４ｃを下って長孔１２内の他端側に移動する。その際、回動支点部２２の頂部２２ａは各移動規制部１４の隙間１４ａに位置しているため、頂部２２ａは各移動規制部１４には接触せず、回動支点部２２の円錐面が各移動規制部１４と二点で接触することになる。また、長孔１２内の他端側に移動した回動支点部２２は、移動規制部１４によって長孔１２内の一端側への移動を規制される。ここで、回動支点部２２を長孔１２内の一端側に向かって所定の大きさ以上の力で移動させようとすると、前述と同様、移動規制部１４を乗り越えて長孔１２内の一端側に移動させることができる。
【００２２】
以上のように構成されたコネクタおいては、図１に示すように開放状態のカバー２０の内面に沿ってカード１を挿入すると、カード１がカバー２０の本体側と保持片２４との間に保持され、図２(a) に示すようにカバー２０を回動してコネクタ本体１０側に閉じると、カード１がカバー２０とコネクタ本体１０との間に保持されるとともに、カード１の各接点１ａが各端子３０に圧接して電気的に導通する。次に、図２(b) に示すようにカバー２０を所定の大きさ以上の力でコネクタ本体１０の他端側にスライドさせると、前述したようにカバー２０の回動支点部２２が長孔１２の移動規制部１４を乗り越えることにより、図２(c) に示すように長孔１２内の他端側に移動する。また、カバー２０がコネクタ本体１０の他端側にスライドすると、カバー２０の突部２３がコネクタ本体１０の係止部１３の下方に入り込み、カバー２０の開放方向への回動が突部２３と係止部１３との係止によって規制され、カバー２０がロックされる。その際、カバー２０の回動支点部２２は長孔１２の移動規制部１４によって長孔１２の一端側への移動を規制され、これによりカバー２０のロック状態が保持される。また、カード１を取出す場合は、カバー２０を所定の大きさ以上の力でコネクタ本体１０の一端側に向かってスライドさせると、カバー２０のロックが解除され、カバー２０が開放可能となる。
【００２３】
また、図５(a) に示すようにカバー２０を開放した際、カバー２０の開放限度を超える力が加わった場合には、図５(b) に示すようにカバー２０の側面部２１の弾性変形により、カバー２０の回動支点部２２が長孔１２の縁部に乗り上げて長孔１２から外れる。
【００２４】
このように、本実施形態のカード用コネクタによれば、コネクタ本体１０の側面に設けた長孔１２にカバー２０の回動支点部２２の移動を規制する移動規制部１４を設け、カバー２０を所定の大きさ以上の力でコネクタ本体１０の他端側に向かってスライドさせると、カバー２０の回動支点部２２がカバー２０の側面部２１を弾性変形させながら長孔１２の移動規制部１４を乗り越えて長孔１２の一端側から他端側に移動するようにしたので、前記スライド操作によってカバー２０がロックされると同時に、回動支点部２２の長孔１２の一端側への移動を移動規制部１４によって規制することができ、カバー２０のロック状態を確実に保持することができる。
【００２５】
この場合、カバー２０のスライドに際してカバー２０の側面部２１を弾性変形させるようにしたので、ロック保持専用の弾性変形部分を別途設ける必要がなく、構造を簡素化することができ、耐久性及び外観の向上を図ることができる。
【００２６】
また、カバー２０の回動支点部２２を長孔１２の移動規制部１４を乗り越えて長孔１２の一端側及び他端側の間を移動するようにしたので、回動支点部２２が移動規制部１４を乗り越えることによる確実な操作感を指先等で感じ取ることができ、カバー２０の操作状態を目視のみならず操作時の感触によっても確認することができる。
【００２７】
更に、長孔１２の移動規制部１４に長孔１２の一端側及び他端側に向かってその中央部１４ｂから徐々に低くなる傾斜部１４ｃを形成したので、回動支点部２２を移動規制部１４に円滑に乗り上げさせることができ、カバー２０のスライド操作を容易に行うことができる。
【００２８】
また、カバー２０の回動支点部２２をその頂部２２ａから周縁部に向かって徐々に低くなるように形成するとともに、移動規制部１４を長孔１２の幅方向中央部に所定間隔の隙間１４ａを有すように形成し、この隙間１４ａに回動支点部２２の頂部２２ａを位置させるようにしたので、回動支点部２２の頂部２２ａを各移動規制部１４に接触させずに回動支点部２２の円錐面を各移動規制部１４と二点で接触させることができ、回動支点部２２の摩耗を確実に防止することができる。
【００２９】
更に、カバー２０に開放限度を超える力が加わった場合、カバー２０の側面部２１の弾性変形によってカバー２０の回動支点部２２が長孔１２から外れるようにしたので、例えばカバー２０の開閉操作の際に誤って過大な力が加わった場合でも、カバー２０の変形や破損を確実に防止することができる。
【００３０】
【発明の効果】
以上説明したように、請求項１のカード用コネクタによれば、カバー体のロック保持専用の弾性変形部分を別途設ける必要がないので、構造を簡素化することができ、耐久性及び外観の向上を図ることができる。また、カバーを操作する際、確実な操作感を指先等で感じ取ることができるので、カバー体の操作状態を目視のみならず操作時の感触によっても確認することができ、ロック忘れ等を確実に防止することができる。更に、回動支点部の頂部を移動規制部に接触させずに回動支点部の円錐面を各移動規制部と二点で接触させることができるので、回動支点部の摩耗を確実に防止することができる。
【００３１】
また、請求項２のカード用コネクタによれば、請求項１の効果に加え、回動支点部を移動規制部に円滑に乗り上げさせることができるので、カバー体の操作を容易に行うことができる。
【００３２】
また、請求項３のカード用コネクタによれば、請求項１または２の効果に加え、例えばカバー体の開閉操作の際に誤って過大な力が加わった場合でも、カバー体の変形や破損を確実に防止することができる。
【図面の簡単な説明】
【図１】本発明の一実施形態を示すカード用コネクタの斜視図
【図２】カード用コネクタの側面図
【図３】カード用コネクタの要部平面断面図
【図４】図３の矢視方向断面図
【図５】カード用コネクタの要部平面図
【符号の説明】
１…カード、１０…コネクタ本体、１２…長孔、１４…移動規制部、１４ａ…隙間、１４ｂ…中央部、１４ｃ…傾斜部、２０…カバー、２１…側面部、２２…回動支点部、２２ａ…頂部、３０…端子。
【図１】
0003737064.tif 000002
【図２】
0003737064.tif 000003
【図３】
0003737064.tif 000004
【図４】
0003737064.tif 000005
【図５】
0003737064.tif 000006